(57)【要約】      （修正有）【課題】上方にスライドした取出口閉塞体が不意に落下することなく、取出口閉塞体を開け閉めするとき、投函口から郵便物を入れるときのガタツキを防止することのできる郵便箱の提供。【解決手段】郵便箱本体１の支持枠４と、郵便箱本体１の郵便取出口を開閉する取出口閉塞体２とを備え、左右のガイド溝５ａ，５ｂを有し、取出口閉塞体は、開閉蓋１７を設けた投函口１６を有し且つ左右の側端部を各々ガイド溝に上下動自在に取り付けてあり、ガイド溝の溝底壁７と取出口閉塞体の側面のいずれかには、他方に圧接する振れ止め１３ａ，１３ｂを設け、ガイド溝の前側側壁６と取出口閉塞体２の前面には、他方に向けて突出し且つ中央部から両側部に向かって傾斜する山形状のガイド溝側係合部１４ａ，１４ｂと閉塞体側係合部１２ａ，１２ｂとを各々設け、両係合部のうちの少なくとも一方は弾性を有する構造とした。【選択図】図１
2008253509.tif 000002
【特許請求の範囲】
【請求項１】
郵便箱本体の支持枠と、郵便箱本体の郵便取出口を開閉する取出口閉塞体とを備え、支持枠は、郵便箱本体の郵便取出口の前方に位置する前側側壁とその後方に位置する後側側壁と前側側壁と後側側壁とをつなぐ溝底壁とからなる左右のガイド溝を有し、取出口閉塞体は、開閉蓋を設けた投函口を有し且つ左右の側端部を各々ガイド溝に上下動自在に取り付けてあり、ガイド溝の溝底壁と取出口閉塞体の側面のいずれかには、他方に圧接する振れ止めを設け、ガイド溝の前側側壁と取出口閉塞体の前面には、他方に向けて突出し且つ中央部から両側部に向かって傾斜する山形状のガイド溝側係合部と閉塞体側係合部を各々設け、両係合部のうちの少なくとも一方は弾性を有し、閉塞体側係合部がガイド溝側係合部を乗り越え可能であり、ガイド溝側係合部を乗り越えた閉塞体側係合部の下向き傾斜部がガイド溝側係合部の上向き傾斜部と当接して取出口閉塞体を郵便取出口側へ引き寄せることを特徴とする郵便箱。
【発明の詳細な説明】
【技術分野】
【０００１】
本発明は、機能門柱や機能ポスト、取り付けポストに設けられる郵便箱、特に郵便物を投函する側と取り出す側とを同じ場所にて行なう態様の郵便箱に関するものである。
【背景技術】
【０００２】
郵便箱を備える取付ポストや郵便箱とインターホンや照明などと一体化した機能ポールや機能柱と呼ばれるものがあり、この中でも背後の空間が狭い敷地に郵便箱を設けたものとしては、例えば、実開平７−１１６９８のように、門柱の正面側に設けた投函口と兼用した取出口閉塞体を上下にスライドし、郵便取出口を開放・閉鎖することで、門柱の正面側にて郵便物の受け取りと取り出しの全てを行なうものがあった。ところが、取出口閉塞体を上下にスライドするものは、取出口閉塞体を上方にスライドして郵便取出口を開放したとき、もしくは閉鎖したときのいずれかのときには、取出口閉塞体が不意に落下することがあり、また取出口閉塞体をスライドしたときには、郵便取出口のガイド溝に断続的に当たり、不快なガタツキ音を発する問題点があった。
【特許文献１】実開平７−１１６９８
【発明の開示】
【発明が解決しようとする課題】
【０００３】
本発明は以上に述べたような実情に鑑み、上方にスライドした取出口閉塞体が不意に落下することなく、取出口閉塞体を開け閉めするとき、投函口から郵便物を入れるときのガタツキを防止することのできる郵便箱を提供することにある。
【課題を解決するための手段】
【０００４】
本発明は、郵便箱本体の支持枠と、郵便箱本体の郵便取出口を開閉する取出口閉塞体とを備え、支持枠は、郵便箱本体の郵便取出口の前方に位置する前側側壁とその後方に位置する後側側壁と前側側壁と後側側壁とをつなぐ溝底壁とからなる左右のガイド溝を有し、取出口閉塞体は、開閉蓋を設けた投函口を有し且つ左右の側端部を各々ガイド溝に上下動自在に取り付けてあり、ガイド溝の溝底壁と取出口閉塞体の側面のいずれかには、他方に圧接する振れ止めを設け、ガイド溝の前側側壁と取出口閉塞体の前面には、他方に向けて突出し且つ中央部から両側部に向かって傾斜する山形状のガイド溝側係合部と閉塞体側係合部を各々設け、両係合部のうちの少なくとも一方は弾性を有し、閉塞体側係合部がガイド溝側係合部を乗り越え可能であり、ガイド溝側係合部を乗り越えた閉塞体側係合部の下向き傾斜部がガイド溝側係合部の上向き傾斜部と当接して取出口閉塞体を郵便取出口側へ引き寄せることを特徴とする。
【発明の効果】
【０００５】
本発明によれば、取出口閉塞体を上方にスライドして郵便取出口を閉鎖したときに、閉塞体側係合部がガイド溝側係合部を乗り越えることで取出口閉塞体の落下を防止するとともに、乗り越えた位置にて互いの傾斜部が当接して付勢力を付与することで、取出口閉塞体を郵便取出口側に引寄せることができ、取出口閉塞体のガタツキを防ぎ、投函口から郵便物を入れる場合もガタツキがなく、また両係合部が当接していないときには、クリアランスを有することで上下のスライドもスムーズに行なうことができる。またガイド溝の溝底壁と取出口閉塞体の側面との間には、他方に圧接する振れ止めを設けているので、取出口閉塞体のガイド溝内左右方向のガタツキを防止できる。
【発明を実施するための最良の形態】
【０００６】
以下、本発明の手摺の実施形態を図面に基づいて説明する。
図１は、本発明の郵便箱の要部を透過して示す一部を省略した斜視図であり、図２は、本発明の郵便箱の横断面図であり、図３は、本発明の郵便箱の縦断面図であり、図４（ａ）（ｂ）（ｃ）は、本発明の郵便箱の取出口閉塞体の使用状態を示す簡略化した側面図であり、図５は、本発明の郵便箱を取り付けた門柱を示す正面図である。
【０００７】
本郵便箱は、図２と図５のように、門柱Ｍの上下長手方向の中間部に設けてあり、郵便箱本体１を地面Ｇから支持する支持枠４と、郵便箱本体１の郵便取出口３を開放・閉鎖する取出口閉塞体２とからなっている。郵便箱本体１は、図１のように、上方と下方、側方を壁部９，１０，１１ａ，１１ｂ，１１ｃで囲んで中空で且つ全体が略直方体をなしており、門柱Ｍの正面側の側方の一部のみを開口し、投函された郵便物の郵便取出口３を設けている。詳しくは、門柱Ｍ内部の郵便取出口３のある位置の空間部の上方を天板９で遮り、下方を底板１０で遮り、郵便取出口３のある箇所以外の三方（門柱Ｍの左側面、右側面、背面）を門柱Ｍの地面Ｇ側から上端側まで上下に伸びる側板１１ａ，１１ｂ、１１ｃで囲んで内部に郵便物収納部Ｓを形成している。
【０００８】
支持枠４は、図１〜図３に示すように、地面Ｇから垂直に伸びて郵便箱本体１の郵便取出口３の左右両側を保持してあり、郵便取出口３の前方に位置する前側側壁６と前側側壁６より郵便取出口３に位置する後側側壁８と前側側壁６と後側側壁８とをつなぐ溝底壁７とからなっており、この支持枠４の一部に、前側側壁６と溝底壁７と後側側壁８に囲まれたガイド溝５ａ，５ｂを形成している。郵便取出口３の左右にある一方のガイド溝５ａと他方のガイド溝５ｂは、互いに対面する側が開口し、両ガイド溝５ａ，５ｂの前側側壁６，６には、後側側壁８，８に向けて中央部が突出した半円弧状をなすガイド溝側係合部１４ａ，１４ｂを設けており、ガイド溝側係合部１４ａ，１４ｂは、耐摩耗性の高い硬質の樹脂で成形してあり、上下に長い板体２１ａ，２１ｂの一側面に設けてある。ガイド溝側係合部１４ａ，１４ｂは、前側側壁６の所定の箇所に設けた上下に長い長孔２２ａ，２２ｂに対し、ガイド溝側係合部１４ａ，１４ｂの半円弧状部分をガイド溝５ａ，５ｂ内に差し込む状態で板体２１ａ，２１ｂを配設してあり、ガイド溝５ａ，５ｂ内に突出したガイド溝側係合部１４ａ，１４ｂの半円弧状部分は、板体２１ａ，２１ｂにより弾性変形可能に形成してある。両側のガイド溝５ａ，５ｂには、取出口閉塞体２の対応する左右の側端部が嵌り込んで上下動可能に取り付けてある。
【０００９】
取出口閉塞体２は、図１〜図３のように、正面視して略垂直方向に長い長方形状の板体であり、振れ止め１３ａ，１３ｂと閉塞体側係合部１２ａ，１２ｂと持手部１５とを有しており、取出口閉塞体２の略中央部には、上下に長い長孔状をなす投函口１６を有しており、投函口１６の左右いずれかの側部には、図２のように、垂直軸回転して郵便取出口３の内側に開閉する開閉蓋１７が設けてあり、開閉蓋１７は、投函口１６よりも僅かに幅、高さとも大きく形成してあり、バネ材２３により常に投函口１６側に当接する方向に付勢して投函口１６の閉塞状態を保つとともに、開閉蓋１７の外側から郵便物を押し込まれたときにのみ、開閉蓋１７が開いて投函口１６を開放し、郵便物を郵便物収納部Ｓに導くことができる。振れ止め１３ａ，１３ｂは、図１のように、上下に長い板ばねの略中央部を頂部として突出するように曲げ加工した半円弧状をなすものであり、振れ止め１３ａ，１３ｂは、ガイド溝５ａ，５ｂの溝底壁７側と対向する取出口閉塞体２の両方の側面において上下に間隔をあけて取り付けた上側スラシ部材１８と下側スラシ部材１９とに跨って設けてある。これにより振れ止め１３ａ，１３ｂの頂部が溝底壁７に常に当接し、取出口閉塞体２を左右方向のガタツキを抑えることができるとともに、ガイド溝５ａ，５ｂの上下方向の中間位置で止めることも可能となる。閉塞体側係合部１２ａ，１２ｂは、取出口閉塞体２の前面にて上側スラシ部材１８のガイド溝５ａ，５ｂの前側側壁６と対向する側に設けてあり、上下方向の中央部が前側側壁６に向けて突出し、この突出した箇所がガイド溝５ａ，５ｂに沿って湾曲状をなすものである。上側スラシ部材１８および下側スラシ部材１９は、後側側壁８に対面する側が取出口閉塞体２の他の部位に比べて僅かに突出しており、取出口閉塞体２を上げ下げしたときに、常に後側側壁８に対して最初に接触するため、例えば本実施のもののように樹脂で形成してあれば、取出口閉塞体２を上げ下げしたときの衝撃を吸収して金属独特の不快なガタツキ音を発生しない構造となる。持手部１５は、図３のように、開閉蓋１７の上側に設けてあり、郵便取出口３の郵便箱外側に向けて次第に下方に傾斜して庇のように形成してあり、これにより、持手部１５の郵便箱外側への突出部分に指を掛けて取出口閉塞体２をガイド溝５ａ、５ｂに沿って上げ下げできるとともに、雨天時には、投函口１６の雨避けの役割も果たす。また符号２４は、取出口閉塞体に設けた錠である。
【００１０】
図４（ａ）（ｂ）（ｃ）は、本発明の郵便箱の使用状態を示すものである。ここで図面は側面図であるため、例えばガイド溝５ａ，５ｂや閉塞体側係合部１２ａ，１２ｂ、およびガイド溝側係合部１４ａ，１４ｂなどの図面右側のもののみが図示してあるが、以下の説明では左右両側のものについて記載する。まず図４（ａ）のように、郵便取出口３が開放しているときには、取出口閉塞体２がガイド溝５ａ，５ｂの下位置にあり、ガイド溝５ａ，５ｂの下側に設けてあるガイド溝側係合部１４ｂ，１４ｂに対し、取出口閉塞体２の上側に設けてある閉塞体側係合部１２ａ，１２ａを係合して郵便取出口３の開放状態を保持している。次に図４（ｂ）のように、郵便取出口３を閉塞するときには、持手部１５を指で掛けて取出口閉塞体２をガイド溝５ａ，５ｂに沿って次第に持ち上げていき、取出口閉塞体２の上方および下方に設けた閉塞体側係合部１２ａ，１２ｂの上向き傾斜部２０ｂが、ガイド溝５ａ，５ｂの上側および下側に位置した各々のガイド溝側係合部１４ａ，１４ｂの下向き傾斜部２０ａに対して下方から当接するとともに、閉塞体側係合部１２ａ，１２ｂがガイド溝側係合部１４ａ，１４ｂを乗り越えようとしたときに、取出口閉塞体２は、閉塞体側係合部１２ａ，１２ｂとともに郵便取出口３側に引寄せられる。振れ止め１３ａ，１３ｂは、溝底壁７に常に当接しており、取出口閉塞体２の左右方向のガタツキを抑えながらガイド溝５ａ，５ｂをスライドする。最後に図４（ｃ）のように、閉塞体側係合部１２ａ，１２ｂがガイド溝側係合部１４ａ，１４ｂを前側側壁６外側に押し込み、閉塞体側係合部１２ａ，１２ｂがガイド溝側係合部１４ａ，１４ｂの頂部を乗り越えた位置で、閉塞体側係合部１２ａ，１２ｂの下向き傾斜部２０ａとガイド溝側係合部１４ａ，１４ｂの上向き傾斜部２０ｂが当接し、取出口閉塞体２が郵便取出口３を閉鎖するとともに、引寄せた状態を保持している。
【００１１】
本発明の閉塞体側係合部１２ａ，１２ｂおよびガイド溝側係合部１４ａ，１４ｂは、本実施形態に示した円弧状のものの他、例えば中央部を頂部とする三角形状をなすもの等であってもよい。閉塞体側係合部１２ａ，１２ｂとガイド溝側係合部１４ａ，１４ｂそのものを弾性体で成形してもよいし、閉塞体側係合部１２ａ，１２ｂとガイド溝側係合部１４ａ，１４ｂの一方のみ、または両方を弾性体にしてもよい。また弾性体としては例えば、板バネや発泡ゴムなどが挙げられる。郵便箱本体１は、支持枠４とは別に独立した側板１１ａ，１１ｂ，１１ｃにより形成してもよいし、側板１１ａ，１１ｂ，１１ｃの一部が支持枠３を兼ねて形成してあり、さらに天板９と底板１０で仕切って郵便物収納部Ｓを形成するものであってもよい。振れ止め１３ａ，１３ｂは、本実施形態では取出口閉塞体２の左右側面の各々に設けてあるが、ガイド溝５ａ，５ｂの溝底壁７に設けてあってもよい。
【図面の簡単な説明】
【００１２】
【図１】本発明の郵便箱の要部を透過して示す一部を省略した斜視図である。
【図２】本発明の郵便箱の横断面図である。
【図３】本発明の郵便箱の縦断面図である。
【図４】（ａ）（ｂ）（ｃ）は、各々本発明の郵便箱の取出口閉塞体の使用状態を示す簡略化した側面図である。
【図５】本発明の郵便箱を取り付けた門柱を示す正面図である。
【符号の説明】
【００１３】
１  郵便箱本体
２  取出口閉塞体
３  郵便取出口
４  支持枠
５ａ，５ｂ  ガイド溝
６  前側側壁
７  溝底壁
８  後側側壁
１２ａ，１２ｂ  閉塞体側係合部
１３ａ，１３ｂ  振れ止め
１４ａ，１４ｂ  ガイド溝側係合部
１６  投函口
１７  開閉蓋
２０ａ  下向き傾斜部
２０ｂ  上向き傾斜部
【図１】
2008253509.tif 000003
【図２】
2008253509.tif 000004
【図３】
2008253509.tif 000005
【図４】
2008253509.tif 000006
【図５】
2008253509.tif 000007